(57)【要約】【課題】Ｘコンデンサに溜まった電荷に影響されることなく電力の遮断を検出して出力する省電力の検出回路を提供する。【解決手段】コンデンサＣ１は、主として電力線に生じるノイズ対策として、電力線の両端に接続される。電源回路Ｂ２は、電力線からの電力を受けて端子Ｔ２に接続された対象電気回路に所望の電力を供給する。検出回路Ｂ６は、電力線の両端の電圧を検出する。直流遮断手段Ｂ８は、電力線の両端に接続されたコンデンサＣ１に溜まった電荷に基づく直流成分を遮断する。【選択図】図２
2007282364.tif 000002
【特許請求の範囲】
【請求項１】
電力線からの交流電力供給が遮断されたことを監視するための電力遮断監視回路を備えた電気機器であって、
電力線間に容量成分を有し、電力線からの電力を受けて対象電気回路に所望の電力を供給する電源回路と、
電源回路に接続されて電力供給を受ける対象電気回路と、
電力線の両端の電圧を検出し、遮断検出出力を出す検出回路と、
検出回路に接続された直流遮断手段と、
を備えたことを特徴とする電気機器。
【請求項２】
電力線からの交流電力供給が遮断されたことを監視するための電力遮断監視回路であって、
電力線間に容量成分を有し、電力線からの電力を受けて対象電気回路に所望の電力を供給する電源回路と、
電力線の両端の電圧を検出し、遮断検出出力を出す検出回路と、
検出回路に接続された直流遮断手段と、
を備えたことを特徴とする電力遮断監視回路。
【請求項３】
電力線間に容量成分を有し、電力線からの電力を受けて対象電気回路に所望の電力を供給する電源回路において、電力線からの交流電力供給が遮断されたことを監視するための電力遮断監視回路であって、
電力線の両端の電圧を検出し、遮断検出出力を出す検出回路と、
検出回路に接続された直流遮断手段と、
を備えたことを特徴とする電力遮断監視回路。
【請求項４】
請求項１〜３の何れかの電気機器又は電力遮断監視回路において、
前記直流遮断手段が、検出回路に直列に接続されたカットコンデンサであることを特徴とするもの。
【請求項５】
請求項１〜４の何れかの電気機器又は電力遮断監視回路において、
前記電源回路が、整流回路およびスイッチング・レギュレータを備え、
整流回路によって整流された直流成分がスイッチング・レギュレータによって制御して出力される、
ことを特徴とするもの。
【請求項６】
請求項１〜５の何れかの電気機器又は電力遮断監視回路において、
前記検出回路が、直列に配置した双方向フォトカプラと、抵抗と、を交流電力が供給される電力線に接続して構成される、
ことを特徴とするもの。
【請求項７】
請求項１〜６の何れかの電気機器又は電力遮断監視回路において、
前記検出回路が、絶縁された一次側と二次側で構成され、一次側で得た検出結果を二次側に絶縁して出力する、
ことを特徴とするもの。
【請求項８】
電力線からの交流電力供給が遮断されたことを監視するための電力遮断監視方法であって、
電力線間に容量成分を有する電源回路が、電力線からの電力を受けて対象電気回路に所望の電力を供給し、
検出回路が、電力線の両端の電圧を検出して遮断検出出力を出す際に、検出回路に接続された直流遮断手段が前記容量成分に基づく直流成分を遮断した状態で、電力線からの交流電力供給の遮断を検出すること、
を特徴とする電力遮断監視方法。
【発明の詳細な説明】
【技術分野】
【０００１】
この発明は、交流電源の停電情報、並びに使用者による交流電源のオン／オフを検知する監視回路に関するものである。
【背景技術】
【０００２】
商用交流電源の利用に際し、安定した直流電源に変換することや、停電の有無を検出して停電時に生じる種々の問題を回避することは、電気機器（例えば、パソコン）に用いられる電源装置として必要不可欠な機能となっている。
【０００３】
商用交流電源から安定した直流電源を電気機器に変換して出力するための機構としては、安定化電源の一種であるスイッチング電源が広く用いられている（特許文献１、２を参照）。図５に、スイッチング電源のブロック図を示す。図５に示すように、スイッチング電源は、交流電源ＡＣ０からの電力を整流する整流回路Ｂ３と、外部への電力Ｖoutをフィードバックして整流回路Ｂ３から受けた電力を継断出力することで所定電圧に調整するスイッチング・レギュレータＢ４とを備える。
【０００４】
また、ノイズ（ＥＭＩ）対策として、図５に示すようにフィルタ部Ｂ５が通常設けられており、このフィルタ部Ｂ５は、容量成分であるＸコンデンサＣ０等を交流電源ＡＣ０に接続して構成されている（特許文献１、２を参照）。なお、このようなノイズ（ＥＭＩ）対策は、スイッチング電源において特に必要性が高い。
【０００５】
商用交流電源の停電の有無を検出する機構としては、図６に示すような、双方向フォトカプラＰＣ０と抵抗Ｒ０で構成される検出回路Ｂ６を交流電源に接続したものがある（特許文献３を参照）。交流電源が供給されている間は、双方向フォトカプラＰＣ０に電流が流れ、検出出力ＡＣ−ＤＥＴoutが「Ｌ」である。交流電源が遮断されると、双方向フォトカプラＰＣ０に電流が流れず検出出力ＡＣ−ＤＥＴoutが「Ｈ」になり、電源遮断を検出することができる。
【０００６】
【特許文献１】特開２００３−５２１７６号
【０００７】
【特許文献２】特開２００２−２６２５５６号
【０００８】
【特許文献３】特開２００１−４５７５６号
【発明の開示】
【発明が解決しようとする課題】
【０００９】
しかしながら、図６に示す検出回路Ｂ６を、図５に示すフィルタ部Ｂ５（容量成分であるＸコンデンサＣ０を有するもの）を備えたスイッチング電源に適用すると、次のような問題がある。
【００１０】
交流電源の入力波形（正弦波）の位相が０度および１８０度以外の時、例えば、図７に示すように、交流電源の入力波形（正弦波）の位相が９０度（時間ｔ＝ｔ０）の時に停電が起こった場合、停電時の直流成分Ｖ０に基づく電荷がXコンデンサＣ０（図５）に溜まってしまい、この電荷が抜けるまでフォトカプラＰＣ０（図６）は出力「Ｌ」を継続し続けることになる。このため、実際に停電してから検出結果AC-DETout（出力「Ｈ」）として出力するまでにタイムラグが生じてしまい、停電を瞬時に検出するのが困難である。
【００１１】
この発明は、上記各問題を解決し、迅速に電力の遮断を検出することのできる電力遮断監視回路を提供することを目的とするものである。
【課題を解決するための手段】
【００１２】
（１）この発明の電気機器は、
電力線からの交流電力供給が遮断されたことを監視するための電力遮断監視回路を備えた電気機器であって、
電力線間に容量成分を有し、電力線からの電力を受けて対象電気回路に所望の電力を供給する電源回路と、
電源回路に接続されて電力供給を受ける対象電気回路と、
電力線の両端の電圧を検出し、遮断検出出力を出す検出回路と、
検出回路に接続された直流遮断手段と、
を備えたことを特徴とする。
【００１３】
これにより、直流遮断手段により電力線が有する容量成分に基づく直流成分をカットすることが可能となり、容量成分の影響を少なくして電力の遮断を瞬時に検出する電力遮断監視回路付きの電気機器を提供することができる。
【００１４】
（２）この発明の電力遮断監視回路は、
電力線からの交流電力供給が遮断されたことを監視するための電力遮断監視回路であって、
電力線間に容量成分を有し、電力線からの電力を受けて対象電気回路に所望の電力を供給する電源回路と、
電力線の両端の電圧を検出し、遮断検出出力を出す検出回路と、
検出回路に接続された直流遮断手段と、
を備えたことを特徴とする。
【００１５】
これにより、直流遮断手段により電力線が有する容量成分に基づく直流成分をカットすることが可能となり、容量成分の影響を少なくして電力の遮断を瞬時に検出する電力遮断監視回路を提供することができる。
【００１６】
（３）この発明の電力遮断監視回路は、
電力線間に容量成分を有し、電力線からの電力を受けて対象電気回路に所望の電力を供給する電源回路において、電力線からの交流電力供給が遮断されたことを監視するための電力遮断監視回路であって、
電力線の両端の電圧を検出し、遮断検出出力を出す検出回路と、
検出回路に接続された直流遮断手段と、
を備えたことを特徴とする。
【００１７】
これにより、電力線が有する容量成分に基づく直流成分をカットすることが可能となり、容量成分の影響を少なくして電力の遮断を瞬時に検出する電力遮断監視回路を提供することができる。
【００１８】
（４）この発明の電気機器又は電力遮断監視回路は、
直流遮断手段が、検出回路に直列に接続されたカットコンデンサであることを特徴とする。
【００１９】
したがって、電力が供給されているときの検出回路による電力消費を減らすことができる。
【００２０】
（５）この発明の電気機器又は電力遮断監視回路は、
電源回路が、整流回路およびスイッチング・レギュレータを備え、整流回路によって整流された直流成分がスイッチング・レギュレータによって制御して出力される、
ことを特徴とする。
【００２１】
これにより、スイッチング・レギュレータによるノイズ対策を施しつつ、電力線間に有する容量成分の影響を少なくして電力の遮断を瞬時に検出する省電力の電力遮断監視回路を提供することができる。
【００２２】
（６）この発明の電気機器又は電力遮断監視回路は、
検出回路が、直列に配置した双方向フォトカプラと、抵抗と、を交流電力が供給される電力線に接続して構成される、
ことを特徴とする。
【００２３】
これにより、電力線間に有する容量成分の影響を少なくして、電力の遮断を直列に配置した双方向フォトカプラと、抵抗とで瞬時に検出する省電力の電力遮断監視回路を提供することができる。
【００２４】
（７）この発明の電気機器又は電力遮断監視回路は、
検出回路が、絶縁された一次側と二次側で構成され、一次側で得た検出結果を二次側に絶縁して出力する、
ことを特徴とする
これにより、検出回路が得た電力遮断の検出結果を絶縁して一次側から二次側に伝達することができる。
【００２５】
（８）この発明の電力遮断監視方法は、
電力線からの交流電力供給が遮断されたことを監視するための電力遮断監視方法であって、
電力線間に容量成分を有する電源回路が、電力線からの電力を受けて対象電気回路に所望の電力を供給し、
検出回路が、電力線の両端の電圧を検出して遮断検出出力を出す際に、検出回路に接続された直流遮断手段が前記容量成分に基づく直流成分を遮断した状態で、電力線からの交流電力供給の遮断を検出することを特徴とする。
【００２６】
これにより、直流遮断手段により電力線が有する容量成分に基づく直流成分をカットすることが可能となり、容量成分の影響を少なくして電力の遮断を瞬時に検出する電力遮断監視方法を提供することができる。
【発明を実施するための最良の形態】
【００２７】
図１は、この発明の電力遮断監視回路１０を示すブロック図である。図に示すように、電力遮断監視回路１０は、電力線間に容量成分Ｂ２ｃを有する電源回路Ｂ２と、検出回路Ｂ６と、直流遮断手段Ｂ８とを備える。なお、交流電源は端子Ｔ１から入力され、端子Ｔ２から対象電気回路（図示せず）に対して所望の電力が出力される。また、交流電力の供給が遮断した時には、端子Ｔ３から信号が制御部（図示せず）に出力される。
【００２８】
図１に示す電源回路Ｂ２が有する容量成分Ｂ２ｃとしては、例えば、電力線に生じるノイズ対策として電力線の両端に接続されるコンデンサ（Ｘコンデンサ）が該当する。電源回路Ｂ２は、電力線からの電力を受けて端子Ｔ２に接続された対象電気回路に所望の電力を供給するための回路である。検出回路Ｂ６は、電力線の両端の電圧を検出し、遮断検出出力を出すための回路である。直流遮断手段Ｂ８は、検出回路Ｂ６に接続された、電力遮断時に容量成分Ｂ２ｃに基づく直流成分を遮断するための手段である。
【００２９】
つぎに、この発明の電力遮断監視回路１０の具体的な回路構成を、図２に示す。なお、図２に示す電力遮断監視回路１０は、例えば、パソコンのような電気機器の内部に組み込まれている。
【００３０】
交流電源ＡＣ１は、例えば、１００Ｖの商用電源であり、図２に示すように、コンセント（商標）などの端子Ｔ１を介して電力遮断監視回路１０に接続されている。
【００３１】
図２に示す電力遮断監視回路１０の端子Ｔ２には、電源回路Ｂ２からの電力の供給を受ける対象電気回路（図示せず）、例えば、ＣＰＵ、ハードディスクドライブ、メモリなどが接続されている。また、電力遮断監視回路１０の端子Ｔ３には、停電時に検出回路Ｂ６からの検出結果ＡＣ−ＤＥＴoutの出力を受けて所定のシャットダウン処理を行う制御部（図示せず）が接続される。ここでいう所定のシャットダウン処理とは、例えば、停電時にスピーカーから出るＰＯＰ音の消音処理や、パソコンの終了時に行われるＥＥＰＲＯＭへの書き込みエラーの回避処理などである。
【００３２】
また、図２に示すように、交流電源ＡＣ１には、フィルタ部Ｂ５を構成するＸコンデンサＣ１とコモンモードフィルタＬ１が接続され、さらに交流電源ＡＣ１からの電力を直流に変換する整流回路Ｂ３、平滑コンデンサＣ４、スイッチング・レギュレータＢ４が順に接続されている。図２に示すフィルタ部Ｂ５から整流回路Ｂ３、スイッチング・レギュレータＢ４にわたる回路要素が、全体として電源回路Ｂ２を構成している。このように、電源回路Ｂ２は容量成分であるＸコンデンサＣ１を有している。
【００３３】
図２に示すようにスイッチング・レギュレータＢ４は、スイッチング・トランジスタＳ１、トランスＸ１、ダイオードＤ２、平滑コンデンサＣ５を備えている。交流電源ＡＣ１から供給される電力は、このスイッチング・レギュレータＢ４によって制御された後、端子Ｔ２を介して対象電気回路に提供される。具体的には、スイッチング・トランジスタＳ１が、直流出力Ｖoutのフィードバックに基づいてＯＮ／ＯＦＦ制御されることで、直流出力Ｖoutが所定電圧になるように調整される。
【００３４】
また、交流電源ＡＣ１には、容量成分であるＸコンデンサＣ１に溜まった電荷に影響されることなく電力の遮断を検出して出力するための検出回路Ｂ６が接続されている。検出回路Ｂ６は、図２に示すように、直列に配置した双方向フォトカプラＰＣ１と、抵抗Ｒ１と、を交流電源ＡＣ１に接続して構成されており、この検出回路Ｂ６には直流遮断手段であるコンデンサ（カットコンデンサＣ２）が直列に接続されている。このカットコンデンサＣ２の存在により、ＸコンデンサＣ１に電荷が溜まったままになる位相において交流電源ＡＣ１からの電力供給が停止した際に、直流成分が遮断されることになる。これにより、検出回路Ｂ６が交流電力の遮断を遅延なく検出して出力することが可能となり、後述するような停電検出遅延防止や省電力の効果を得ることができる。
【００３５】
また、検出回路Ｂ６は、フォトカプラＰＣ１によって絶縁された一次側（抵抗Ｒ１、双方向フォトダイオードＰＤ）と二次側（フォトトランジスタＰＴ１）で構成され、一次側で得た検出結果を二次側に絶縁して出力する。また、検出回路Ｂ６の二次側には、レギュレータＲｅ１を介して対象電気回路への出力Ｖoutが所定電圧に変換して提供される。さらに、コンデンサＣ３、抵抗Ｒ２が接続されている。
【００３６】
なお、この発明は、XコンデンサＣ１の容量に依存することなく、検出回路Ｂ６の抵抗Ｒ１やコンデンサＣ２の値を設定することができるため便利であるという利点もある。例えば、この実施形態では、図２に示す抵抗Ｒ１＝６．６[ｋΩ]、抵抗Ｒ２＝２７[ｋΩ]、コンデンサＣ２＝０．０７５[μＦ]、コンデンサＣ３＝３３４[ｐＦ]にそれぞれ設定したが、これらはＸコンデンサＣ１の容量に依存していない。なお、ＸコンデンサＣ１の容量自体は、ノイズ（ＥＭＩ）の除去レベルによって決定される。
【００３７】
ここで、抵抗Ｒ１やコンデンサＣ２の値は、双方向フォトダイオードＰＤ１を動作させるのに十分な電流が得られるように決定される。例えば、抵抗Ｒ１の抵抗値は、交流電源ＡＣ１がオンした時の突入電流により、フォトカプラＰＣ１のＩＦ定格を超えない値に設定される。
【００３８】
具体的には、交流入力最大電圧をＡＣmax[V]、フォトカプラＰＣ１のＩＦ定格をＩＦrated[A]とすると、抵抗値Ｒ１＝ＡＣmax×√２／ＩＦratedで得られる。また、コンデンサＣ２のインピーダンスをＺｃ、周波数をｆとすると、容量Ｃ２＝１／２πｆＺcで得られる。なお、抵抗Ｒ１とコンデンサＣ２の合成インピーダンスＺR1+C2を求めれば、コンデンサＣ２のインピーダンスＺｃは、Ｚｃ＝√（ＺR1+C2２−Ｒ１２）で算出される。
【００３９】
また、抵抗Ｒ２の値は、電流を制限してフォトトランジスタＰＴ１が保護されるように決定される。
【００４０】
つぎに、停電時における検出回路Ｂ６の動作について、以下に説明する。図２に示す交流電源ＡＣ１から電力が正常に供給されている場合では、交流電圧がカットコンデンサＣ２を通過し、抵抗Ｒ１から双方向フォトカプラＰＣ１の方向（またはその逆方向）に電流が流れる。これにより、フォトダイオードＰＤ１が発光してフォトトランジスタＰＴ１がオンするため、検出結果ＡＣ−ＤＥＴoutとして「Ｌ」つまり０[V]が出力される。
【００４１】
一方、停電により交流電源ＡＣ１からの電力が遮断された場合、双方向フォトカプラＰＣ１には電流が流れなくなる。この際、ＸコンデンサＣ１に電荷が残っていても、カットコンデンサＣ２によって当該電荷による直流成分はカットされ、フォトダイオードＰＤ１には印加されない。このため、交流遮断とともに直ちにフォトトランジスタＰＴ１がオフし、検出結果ＡＣ−ＤＥＴoutとして「Ｈ」つまり３．３[V]が出力される。
【００４２】
図３は、カットコンデンサＣ２がある場合の停電時における交流電源AC１からの入力波形と、端子Ｔ３からの検出結果ＡＣ−ＤＥＴoutの出力波形との関係を示す図である。図４は、カットコンデンサＣ２がない場合の停電時における交流電源AC１からの入力波形と、端子Ｔ３からの検出結果ＡＣ−ＤＥＴoutの出力波形との関係を示す図である。なお、図３および図４において、Cｈ１は交流電源AC１からの入力波形を示し、Ｃｈ２は端子Ｔ３からの検出結果ＡＣ−ＤＥＴoutを示す。
【００４３】
また、図３Aおよび図４Aは、交流波形の位相が０度の時に交流電源ＡＣ１からの電力が遮断された場合の出力波形を示す図であり、図３Bおよび図４Bは、交流波形の位相が９０度の時に交流電源ＡＣ１からの電力が遮断された場合の出力波形を示す図である。
【００４４】
図３Aおよび図４Aに示すように、交流波形の位相が０度の時に交流電源ＡＣ１からの電力が遮断された場合は、カットコンデンサＣ２の有無に関わらず、停電時刻ｔ’において検出出力ＡＣ−ＤＥＴoutが立ち上がるためタイムラグは生じていない。一方、交流波形の位相が９０度の時に交流電源ＡＣ１からの電力が遮断された場合については、カットコンデンサＣ２が有るときは、図３Ｂに示すように、停電時刻ｔ’において検出結果ＡＣ−ＤＥＴoutが立ち上がるためタイムラグは生じないが、カットコンデンサＣ２が無いときには、図４Ｂに示すように、停電時刻ｔ’から所定時間経過した後の時刻ｔ’’で検出結果ＡＣ−ＤＥＴoutが立ち上がるためタイムラグΔｔが生じてしまう。これは、カットコンデンサC2が無い場合、図２に示すＸコンデンサC1に残留する電荷が抵抗R1を通してフォトダイオードPD1に流れるため、ＸコンデンサC1の電荷が無くなるまでの間PT1がオン状態となってしまうからである。
【００４５】
また、カットコンデンサＣ２の存在により、抵抗Ｒ１にかかる電圧を小さくなることで省エネの効果が得られる。これは、カットコンデンサＣ２のインピーダンスによるものであり、具体的には、コンデンサＣ２のインピーダンスＺｃ＝１／２πｆＣ[Ω]と抵抗Ｒ１の抵抗比でそれぞれの電圧が決定される。
【００４６】
これに対し、図２に示すカットコンデンサＣ２が無い場合には、同条件の電流を流そうとすると交流電圧が全て抵抗にかかり、消費電力が大きくなってしまう。例えば、交流電圧１００[Ｖ]、周波数５０[Ｈｚ]の条件で、カットコンデンサＣ２が有る場合には、抵抗値が６．６[ｋΩ]である抵抗Ｒ１の両端電圧が実効値１４[Ｖ]（実測）であった。このため、流れる電流の実効値は２．１２[ｍＡ]となり、抵抗Ｒ１での電力消費は、Ｖ２／Ｒ１＝０．０３[Ｗ]となる。これに対し、カットコンデンサＣ２がない場合に、同条件の実効値が２．１２[ｍＡ]の電流を流すとき、抵抗Ｒ１の抵抗値は、Ｒ１＝１００[Ｖ]／２．１２[ｍＡ]＝４７[ｋΩ]となり、抵抗Ｒ１での消費電力は、Ｖ２／Ｒ１＝０．２[Ｗ]となり、カットコンデンサＣ２が有る場合に比べて、抵抗Ｒ１における電力損失が非常に大きくなってしまう。
【００４７】
なお、上記実施形態においては、電源回路Ｂ２が整流回路Ｂ３を有するものについて説明したが、これに限定されるものではない。例えば、電力遮断監視回路１０から対象電気回路に交流電源が出力される場合には整流回路Ｂ３は不要である。
【００４８】
なお、上記実施形態においては、電源回路Ｂ２がスイッチング・レギュレータＢ４を有するものについて説明したが、これに限定されるものではない。例えば、スイッチング・レギュレータＢ４を有さない電源回路Ｂ２であっても、ノイズ問題のあるものについては適用することができる。
【００４９】
なお、上記実施形態においては、電力遮断監視回路１０をパソコン内部に設けるようにしたが、別部品として実現してもよい。例えば、停電を検出する端子Ｔ３を有するアダプターとして電力遮断監視回路１０を実現することもできる。
【００５０】
なお、上記実施形態においては、電力遮断監視回路１０をパソコンに適用したが、交流電源の供給を受ける電気機器であればよく、例えば、電話機などの他の電気機器に用いてもよい。
【００５１】
なお、上記実施形態においては、ＸコンデンサＣ１を容量成分としたが、電力線間に生じる浮遊容量のようなものも当該容量成分に含まれる。
【００５２】
なお、上記実施形態においては、検出回路Ｂ６として図２に示すフォトカプラＰＣ１、抵抗Ｒ１、カットコンデンサＣ２を順に接続して、交流電力供給が遮断されたことを検出したが、回路要素の配置順序はこれに限られるものではなく、これらの順序を相互に入れ替えてもよい。
【００５３】
また、上記実施形態では、検出回路に直列に接続したカットコンデンサＣ２によって直流遮断手段を構成したが、交流成分を通過し直流成分を阻止する電気的要素であれば他の素子を用いることもできる。例えば、検出回路に並列に接続したコイルによって直流遮断手段を構成してもよい。さらに、コンデンサ単独ではなく、コンデンサを含む回路素子を直流遮断手段としてもよい。
【００５４】
なお、上記実施形態においては、XコンデンサC1をコモンモードフィルタL1に対して入力側（図２に示すコモンモードフィルタL1の左側）に配置したが、出力側（図２に示すコモンモードフィルタL1の右側）に配置してもよく、また、コモンモードフィルタL1の前後、つまり入力側および出力側の両方に配置してもよい。
【図面の簡単な説明】
【００５５】
【図１】この発明の電力遮断監視回路１０を示すブロック図である。
【図２】電力遮断監視回路１０の具体的な回路構成を示す図である。
【図３】カットコンデンサＣ２がある場合の停電時における交流電源AC１からの入力波形と、端子Ｔ３からの検出結果ＡＣ−ＤＥＴoutの出力波形との関係を示す図である。
【図４】カットコンデンサＣ２がない場合の停電時における交流電源AC１からの入力波形と、端子Ｔ３からの検出結果ＡＣ−ＤＥＴoutの出力波形との関係を示す図である。
【図５】スイッチング電源のブロック図を示す図である。
【図６】商用交流電源の停電の有無を検出する機構を示す図である。
【図７】停電時における交流電源の入力波形を示す図である。
【符号の説明】
【００５６】
１０・・・・電力遮断監視回路
Ｂ２・・・・電源回路
Ｂ３・・・・整流回路
Ｂ４・・・・スイッチング・レギュレータ
Ｂ５・・・・フィルタ部
Ｂ６・・・・検出回路
Ｂ８・・・・直流遮断手段
【図１】
2007282364.tif 000003
【図２】
2007282364.tif 000004
【図３】
2007282364.tif 000005
【図４】
2007282364.tif 000006
【図５】
2007282364.tif 000007
【図６】
2007282364.tif 000008
【図７】
2007282364.tif 000009